(57)【要約】【課題】枠体と額縁との境界部分にビスが露出しない美観に優れた建具を提供する。【解決手段】室内外を連通する開口に設けられる枠体と、前記枠体に取り付けられ、前記枠体とともに当該枠体の室内側に設けられる額縁の室外側の部位を狭持する狭持部材と、を有し、前記狭持部材は、前記枠体に対する取付位置に当該狭持部材を配置させる際に、前記取付位置に対する前記狭持部材の位置決めを補助するための位置決め補助部を有する。【選択図】図２
2010053658.tif 000002
【特許請求の範囲】
【請求項１】
室内外を連通する開口に設けられる枠体と、
前記枠体に取り付けられ、前記枠体とともに当該枠体の室内側に設けられる額縁の室外側の部位を狭持する狭持部材と、
を有し、
前記狭持部材は、前記枠体に対する取付位置に当該狭持部材を配置させる際に、前記取付位置に対する前記狭持部材の位置決めを補助するための位置決め補助部を有することを特徴とする建具。
【請求項２】
請求項１に記載の建具であって、
前記枠体は、室内側に臨む室内面に凹設された凹部を有し、
前記位置決め補助部は前記凹部に挿入されることを特徴とする建具。
【請求項３】
請求項１または請求項２に記載の建具であって、
前記枠体は、室内側に突出して前記額縁における前記開口の内方側の表面が当接される表面当接部を有し、
前記狭持部材は、前記枠体に取り付けられて前記表面当接部と対向し、前記額縁における前記開口の外方側となる裏面側に係合される係合部を有していることを特徴とする建具。
【請求項４】
請求項３に記載の建具であって、
前記係合部は、前記額縁側に向かって突出する突起を有し、当該突起が前記額縁に当接されることを特徴とする建具。
【請求項５】
請求項３または請求項４に記載の建具であって、
前記係合部の先端側には前記額縁と係合する係合片が設けられており、
前記額縁の前記裏面には、前記係合片が係合される係合凹部が形成されていることを特徴とする建具。
【請求項６】
請求項３乃至請求項５のいずれかに記載の建具であって、
前記狭持部材は、前記係合部と間隔を隔てて対向し躯体に取り付けられる躯体取付部と、前記係合部と前記躯体取付部とを前記枠体側にて連結するとともに、ビスにて前記枠体に固定される固定部とを有していることを特徴とする建具。
【請求項７】
請求項６に記載の建具であって、
前記狭持部材が前記枠体に取り付けられた際に、前記躯体取付部は前記係合部より室内側に突出していることを特徴とする建具。
【発明の詳細な説明】
【技術分野】
【０００１】
本発明は、室内外を連通する開口に設けられる枠体と、枠体の室内側に設けられる額縁とを有する建具に関する。
【背景技術】
【０００２】
従来、室内外を連通する開口に設けられる枠体と、枠体の室内側に設けられる額縁とを有する建具は、建物等の躯体側に取り付けられた枠体の室内側に突出された板状の部位が額縁の上面に重ねられ、枠体と額縁との重なった部位がビス等にて固定されている。（例えば、特許文献１参照）
【特許文献１】特許第３１８０２８６号明細書
【発明の開示】
【発明が解決しようとする課題】
【０００３】
枠体と額縁とは、いずれも四方枠組みされており、枠体と額縁との境界部分は枠体及び額縁の全周に渡って露出されることになる。このような、枠体と額縁との境界部分がビスにて固定されていると、ビスの頭部が露出して美観を損ねる虞があるという課題がある。
【０００４】
本発明は、かかる課題に鑑みてなされたものであり、その目的とするところは、枠体と額縁との境界部分にビスが露出しない美観に優れた建具を提供することにある。
【課題を解決するための手段】
【０００５】
かかる目的を達成するために本発明の建具は、室内外を連通する開口に設けられる枠体と、前記枠体に取り付けられ、前記枠体とともに当該枠体の室内側に設けられる額縁の室外側の部位を狭持する狭持部材と、を有し、前記狭持部材は、前記枠体に対する取付位置に当該狭持部材を配置させる際に、前記取付位置に対する前記狭持部材の位置決めを補助するための位置決め補助部を有することを特徴とする建具である。
【０００６】
このような建具は、額縁の室外側の部位は、枠体と狭持部材とにより狭持されるので、枠体に対する狭持部材の取付位置は狭持力に対する影響が大きいため重要である。上記狭持部材によれば、取付位置に対する狭持部材の位置決めを補助するための位置決め補助部を有しているので、狭持部材を適切な取付位置に容易に取り付けることが可能である。このため、額縁は枠体と狭持部材とに狭持されて取り付けられるので、ビス等を用いることなく枠体に取り付けることが可能である。よって、枠体と額縁との境界部分にビスが露出しない美観に優れた建具を提供することが可能である。
【０００７】
かかる建具であって、前記枠体は、室内側に臨む室内面に凹設された凹部を有し、前記位置決め補助部は前記凹部に挿入されることが望ましい。  
このような建具によれば、位置決め補助部を枠体に設けられた凹部に挿入するだけで容易に狭持部材を枠体に対する適切な位置に配置することが可能である。
【０００８】
かかる建具であって、前記枠体は、室内側に突出して前記額縁における前記開口の内方側の表面が当接される表面当接部を有し、前記狭持部材は、前記枠体に取り付けられて前記表面当接部と対向し、前記額縁における前記開口の外方側となる裏面側に係合される係合部を有していることが望ましい。  
このような建具によれば、枠体の表面当接部に額縁の表面側が当接され、表面当接部と対向する狭持部材の係合部に額縁の裏面側が係合されるので、枠体と狭持部材とで確実に額縁を狭持することが可能である。
【０００９】
かかる建具であって、前記係合部は、前記額縁側に向かって突出する突起を有し、前記突起が前記額縁に当接されることが望ましい。  
このような建具によれば、係合部に設けられた突起が額縁に当接されるので、係合部の全域が当接される場合と比較して当接される面積が小さいため狭持力が集中し、より強固に額縁を狭持することが可能である。
【００１０】
かかる建具であって、前記係合部の先端側には前記額縁と係合する係合片が設けられており、前記額縁の前記裏面には、前記係合片が係合される係合凹部が形成されていることが望ましい。  
このような建具によれば、額縁は、額縁裏面の係合凹部と狭持部材の係合部の係合片とによる係合によっても保持されるので、より強固に額縁を枠体側に取り付けることが可能である。
【００１１】
かかる建具であって、前記狭持部材は、前記係合部と間隔を隔てて対向し躯体に取り付けられる躯体取付部と、前記係合部と前記躯体取付部とを前記枠体側にて連結するとともに、ビスにて前記枠体に固定される固定部とを有していることが望ましい。  
このような建具によれば、狭持部材は躯体取付部にて躯体に取り付けられているので、枠体や額縁から外力を受けたとしても、狭持部材の姿勢は保たれ易く、額縁を強固に狭持することが可能である。
【００１２】
かかる建具であって、前記狭持部材が前記枠体に取り付けられた際に、前記躯体取付部は前記係合部より室内側に突出していることが望ましい。  
このような建具によれば、係合部と間隔を隔てて対向して設けられている躯体取付部が、係合部より突出しているので、狭持部材を取り付ける際には、係合部に邪魔されることなく、突出している部位にて躯体に容易に取り付けることが可能である。
【発明の効果】
【００１３】
本発明によれば、枠体と額縁との境界部分にビスが露出しない美観に優れた建具を提供することが可能である。
【発明を実施するための最良の形態】
【００１４】
以下、本発明の一実施形態に係る建具について図面を参照して説明する。  
本実施形態では、本発明に係る建具１の一例として、図１に示すように、室内外を連通する建物の開口に設けられる枠体１１と、枠体１１内に固定され開口の上方側を閉塞し移動しない固定障子２０と、固定障子２０にて閉塞されない下側の領域を閉塞可能であり、枠体１１に沿って上下方向に移動可能な移動障子５とを備えた上げ下げ窓用の建具１を例に挙げて説明する。
【００１５】
この建具１は、枠体１１の見込み方向における室外側の領域に固定障子２０が設けられ、室内側の領域が、移動障子５が移動可能な領域となっている。以下の説明においては、建具１を室外側から見たときに上下となる方向を上下方向、左右となる方向を左右方向または見付け方向、室内外方向である奥行き方向を見込み方向として示す。また、本発明の特徴的な部分は、枠体１１側なので、固定障子２０及び移動障子５の詳細については、説明を省略する。
【００１６】
枠体１１は、図２に示すように、室内外を仕切る壁３の開口に設けられ、押し出し成形部材である上枠１２、下枠１３、左右の縦枠１４、１５が矩形状に枠組みされて構成されている。上枠１２、下枠１３、左右の縦枠１４、１５には、矩形状に枠組みされた状態で外周側となる外周面１１ａに躯体７と対向してビス６０にて固定される躯体固定部１１ｂが全周に渡って突出されている。また、上枠１２、下枠１３、左右の縦枠１４、１５の室内側の室内面１１ｃには、枠体１１の室内側に設けられる額縁１６の上面に当接される板状の表面当接部としての額縁当接部１１ｄが全周に渡って突出している。額縁当接部１１ｄよりも外周側には、額縁当接部１１ｄを囲むように室外側に窪む凹部１１ｅが形成されている。
【００１７】
また、本実施形態の建具１は、上げ下げ窓用の建具１であって、上側に固定障子２０が設けられている。このため、上枠１２及び左右の縦枠１４、１５には、固定障子２０の取付溝（不図示）が設けられた同一形状をなしており、下枠１３は取付溝が設けられていない点で上枠１２及び左右の縦枠１４、１５と相違している。本発明の主な特徴部分となる枠体の室内側及び躯体側、すなわち、上枠１２、下枠１３、左右の縦枠１４、１５の室内側及び躯体側はいずれも同じなので、以下では、下枠１３を例に挙げて説明する。
【００１８】
下枠１３は、室内側に臨む鉛直な室内面１１ｃと、躯体７上に載置（当接）される下面（外周面）１１ａとを有している。下枠１３の額縁当接部１１ｄは、室内面１１ｃに、上下方向（縦枠１４、１５では左右方向）におけるほぼ中央から室内側に向かって水平方向（縦枠１４、１５では水平方向と直交する面外方向）に突出されている。
【００１９】
室内面１１ｃにおける額縁当接部１１ｄの下方（額縁当接部１１ｄよりも外周側）には、下枠１３の下面１１ａと額縁当接部１１ｄとの中間より下方側（下枠１３の下面１１ａと額縁当接部１１ｄとの中間よりも外周側）に位置させて凹部１１ｅが形成されている。凹部１１ｅの上端側（内周側）の縁は、室内面１１ｃと繋がって僅かに下方（外周側）に延出された延出片１１ｆが設けられている。凹部１１ｅの下側（外周側）に位置する室内面１１ｃには、額縁当接部１１ｄとともに額縁１６を狭持するための狭持部材３０を固定するためのビス孔（不図示）が、左右方向（縦枠１４、１５では上下方向）において適宜間隔を隔てて設けられている。  
下枠１３の躯体固定部１１ｂは、下枠１３の下面１１ａに、鉛直方向下方に向かって垂設されている。
【００２０】
狭持部材３０は、図３に示すように、躯体７上に載置（当接）されてビス止めされる躯体取付部３１と、躯体取付部３１の室外側の端から上方（内周側）に延出された固定部としての延出壁部３２と、延出壁部３２の上端（内周側端部）から僅かに室外側に屈曲され、さらに上方（内周側）に延出されて下枠１３との位置決めを補助する位置決め補助部としての位置決め片３３と、延出壁部３２の上端から室内側に延出された係合部３４と、を有している。
【００２１】
係合部３４は、延出壁部３２の上端から水平方向（面外方向）に延出されて額縁１６の躯体７側の面(以下、裏面という)１６ｃに当接される裏面当接部３４ａと、裏面当接部３４ａの先端に設けられ額縁１６の裏面１６ｃに設けられた係合凹部１６ｄと係合して額縁１６が枠体１１から外れることを防止する外れ防止部３４ｂと、裏面当接部３４ａの上面に上方（内周側）に向かって突出された突起３４ｃとを有している。
【００２２】
躯体取付部３１と係合部３４とは、室内側に向かってそれぞれほぼ水平（縦枠１４、１５では水平方向と直交する面外方向）に延出されており、互いに対向するように設けられているが、躯体取付部３１の方が係合部３４より、室内側に長く延出されている。躯体取付部３１の、係合部３４より室内側に長く延出された部位には、狭持部材３０を躯体７にビス６２にて固定するための固定孔（不図示）が設けられている。
【００２３】
狭持部材３０は、位置決め片３３が下枠１３の凹部１１ｅに挿入されるとともに、位置決め片３３の先端を下枠１３の延出片１１ｆと係合させ、延出壁部３２を下枠１３に当接させてビス孔にビス６１を螺合させて狭持部材３０を固定する。このとき、下枠１３の下面１１ａと狭持部材３０の躯体取付部３１の下面３１ａとが平坦になるように配置する。
【００２４】
また、狭持部材３０が下枠１３にビス６１にて固定された状態では、係合部３４は上下方向（縦枠１４、１５では左右方向）に弾性変形可能である。
【００２５】
額縁１６は、板状の部材が四方枠組みされて矩形上に形成されている。額縁１６の四方に配置される部材は、それぞれ開口の内側に臨む側の面（以下、表面という）１６ａの室外側の部位に下枠１３の額縁当接部１１ｄが収容される収容凹部１６ｂが設けられている。収容凹部１６ｂに、額縁当接部１１ｄが収容されると、額縁当接部１１ｄと額縁１６との、表面同士が平坦になるように収容凹部１６ｂは形成されている。  
額縁１６の裏面１６ｃには、室外側の端部近傍に開口の内側に向かって凹設された係合凹部１６ｄが設けられている。
【００２６】
狭持部材３０は、図１に示すように、矩形状に枠組された上枠１２、下枠１３、左右の縦枠１４、１５にそれぞれ固定されている。このとき、枠体１１は、上枠１２、下枠１３、左右の縦枠１４、１５の端部同士が接合されているが、狭持部材３０は、上枠１２、下枠１３、左右の縦枠１４、１５より短く形成されており、角部は接合されていない。このため、狭持部材３０の係合部３４は、いずれも開口の外側、すなわち、躯体７側に屈曲することができるように構成されている。
【００２７】
狭持部材３０が固定された下枠１３は、下枠１３の下面１１ａと狭持部材３０の躯体取付部３１とが躯体７の内周面７ａに当接され、下枠１３の躯体固定部１１ｂが室外側面に当接されて、躯体取付部３１と躯体固定部１１ｂとがそれぞれ躯体７にビス６２、６０にて固定される。
【００２８】
そして、躯体７に取り付けられた下枠１３の額縁当接部１１ｄと狭持部材３０の係合部３４との間に、枠組みされた額縁１６を挿入する。そして、額縁１６の室外側の端部が狭持部材３０の外れ防止部３４ｂと接触することにより係合部３４が弾性変形（又は額縁当接部１１ｄが弾性変形、若しくは係合部３４と額縁当接部１１ｄの両方が弾性変形）されて、外れ防止部３４ｂが下方に移動（係合部３４と額縁当接部１１ｄの間隔が広がる方向に移動）する。額縁１６が室外側に向かって移動すると外れ防止部３４ｂが額縁１６の係合凹部１６ｄに至ったときに、外れ防止部３４ｂが係合凹部１６ｄに入り込んで額縁１６の抜ける方向、すなわち室内方向への移動が規制される。このとき、外れ防止部３４ｂが係合凹部１６ｄに入り込むと、裏面当接部３４ａに設けられた突起３４ｃが、額縁１６の裏面１６ｃ側にて係合凹部１６ｄより先端側（見込み方向室外側）の部位に当接されて、額縁１６の先端側が下枠１３と狭持部材３０とによって狭持される。一方、額縁１６の室内側は、例えば、額縁１６の裏面１６ｃに取り付けられたブラケット等を介して躯体７に固定される。
【００２９】
本実施形態の建具１では、額縁１６の室外側の部位が、枠体１１と狭持部材３０とにより狭持されるので、枠体１１に対する狭持部材３０の取付位置は重要である。上記狭持部材３０は、取付位置に対する狭持部材３０の位置決めを補助するための位置決め片３３を有しているので、狭持部材３０を適切な取付位置に容易に取り付けることが可能である。このため、額縁１６は枠体１１と狭持部材３０とに確実に狭持されて取り付けられるので、ビス等を用いることなく額縁１６を枠体１１に取り付けることが可能である。よって、枠体１１と額縁１６との境界部分にビスが露出しない美観に優れた建具１を提供することが可能である。
【００３０】
また、位置決め片３３を枠体１１に設けられた凹部１１ｅに挿入するだけで容易に狭持部材３０を枠体１１に対する適切な位置に配置することが可能である。
【００３１】
また、枠体１１の額縁当接部１１ｄに額縁１６の表面１６ａ側が当接され、額縁当接部１１ｄと対向する狭持部材３０の裏面当接部３４ａに額縁１６の裏面１６ｃ側が当接されるので、枠体１１と狭持部材３０とで確実に額縁１６を狭持することが可能である。
【００３２】
また、額縁１６は、裏面当接部３４ａに設けられた突起３４ｃが額縁１６に当接されるので、裏面当接部の全域が当接される場合と比較して当接される面積が小さいため狭持力が集中し、より強固に額縁１６を狭持することが可能である。
【００３３】
また、額縁１６は、額縁１６の裏面１６ｃの係合凹部１６ｄと狭持部材３０の裏面当接部３４ａの突起３４ｃとによる係合によっても保持されるので、より強固に額縁１６を枠体１１側に取り付けることが可能である。
【００３４】
また、狭持部材３０は躯体取付部３１にて躯体７に取り付けられているので、枠体１１や額縁１６から外力を受けたとしても、狭持部材３０の姿勢は保たれ易く、額縁１６を強固に狭持することが可能である。更に、下枠１１が狭持部材３０とビス６１によって連結されるとともに、狭持部材３０が躯体７にビス６２で固定されているので、下枠１１が室外側に倒れることを抑制できる。
【００３５】
また、狭持部材３０が枠体１１に取り付けられた際に、係合部３４と間隔を隔てて対向して設けられている躯体取付部３１が、係合部３４より突出しているので、狭持部材３０を取り付ける際には、係合部３４に邪魔されることなく、突出している部位にビス６２を螺合して躯体７に容易に取り付けることが可能である。
【００３６】
上記実施形態においては、額縁１６に形成された係合凹部１６ｄに狭持部材３０の外れ防止部３４ｂが係合する例について説明したが、図４に示すように、額縁１６には、係合凹部１６ｄが設けられておらず、弾性変形する係合部３５の先端側の部位３５ａと下枠１３の額縁当接部１１ｄとにて狭持する狭持部材３０ａであっても構わない。また、図５に示す狭持部材３０ｂのように、上記実施形態の狭持部材３０が備えていた躯体取付部３１を備えていない構成であっても構わない。さらに、図６に示す狭持部材３０ｃのように、位置決め片３６は、下枠１３の凹部１１ｅの下端に当接されるだけでも良く、必ずしも内部に入り込み、その先端が延出片１１ｆと係合していなくても良い。このとき、図７に示すように、額縁１６が係合凹部１６ｄを有しておらず、弾性変形する係合部３５の先端側の部位３５ａと下枠１３の額縁当接部１１ｄとにて狭持する狭持部材３０ｄであっても構わない。
【００３７】
上記実施形態においては、開口枠内を移動障子が垂直方向に移動可能に設けられた上げ下げ窓に用いられる建具を例に挙げて説明したが、これに限らず、移動障子が左右方向に移動可能な片引き窓用の建具や、固定障子のみの建具であっても構わない。
【００３８】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００３９】
【図１】本実施形態に係る建具を室内側からみた外観図である。
【図２】本実施形態に係る建具の縦断面図である。
【図３】狭持部材を説明するための図である。
【図４】本実施形態にかかる狭持部材の第１変形例を示す図である。
【図５】本実施形態にかかる狭持部材の第２変形例を示す図である。
【図６】本実施形態にかかる狭持部材の第３変形例を示す図である。
【図７】本実施形態にかかる狭持部材の第４変形例を示す図である。
【符号の説明】
【００４０】
１  建具、１１ｄ  額縁当接部、１１ｅ  凹部、１１ｆ  延出片、１３  下枠、
１４ｂ  外れ防止部、１６  額縁、１６ａ  表面、１６ｂ  収容凹部、
１６ｃ  裏面、１６ｄ  係合凹部、３０  狭持部材、３０ａ  狭持部材、
３０ｂ  狭持部材、３０ｃ  狭持部材、３０ｄ  狭持部材、
３１  躯体取付部、３１ａ  下面、３２  延出壁部、３３  位置決め片、
３４  係合部、３４ａ  裏面当接部、３４ｂ  外れ防止部、３４ｃ  突起、
３５  係合部、３５ａ  先端側の部位、３６  位置決め片、
６０  ビス、６１  ビス、６２  ビス
【図１】
2010053658.tif 000003
【図２】
2010053658.tif 000004
【図３】
2010053658.tif 000005
【図４】
2010053658.tif 000006
【図５】
2010053658.tif 000007
【図６】
2010053658.tif 000008
【図７】
2010053658.tif 000009